(57)【要約】 【課題】  利用者の場所に関わらず、利用者が所望する医療情報を遅延なく提供することが可能な医用情報処理装置を提供する。【解決手段】  医用情報処理装置は、位置情報取得部、メタ情報取得部、パラメータ取得部、候補算出部、候補出力部、及び移動制御部を具備する。位置情報取得部は、利用者の位置情報を取得する。メタ情報取得部は、複数のデータセンタに記憶されている医療情報についてのメタ情報を、検査単位で取得する。パラメータ取得部は、複数のデータセンタのネットワーク環境に関する情報を取得する。候補算出部は、検査について取得したメタ情報、及びネットワーク環境に関する情報に基づき、位置情報により表される位置おいて、利用者が医療情報を利用するのに適したデータセンタの候補を算出する。候補出力部は、算出されたデータセンタの候補を利用者へ提示する。移動制御部は、利用者により指定されたデータセンタへ医療情報を移動させる。【選択図】図２
2018120400.tif 000002
【特許請求の範囲】
【請求項１】
利用者の現在の位置情報を取得する位置情報取得部と、
ネットワークにより接続される複数のデータセンタに記憶されている医療情報についてのメタ情報を、前記複数のデータセンタから検査単位で取得するメタ情報取得部と、
前記複数のデータセンタのネットワーク環境に関する情報を取得するパラメータ取得部と、
前記検査について取得した前記メタ情報、及び前記複数のデータセンタのネットワーク環境に関する情報に基づき、前記位置情報により表される位置おいて、前記利用者が前記検査についての医療情報を利用するのに適したデータセンタの候補を算出する候補算出部と、
前記算出されたデータセンタの候補を、前記利用者へ提示する候補出力部と、
前記利用者により指定されたデータセンタへ、前記検査についての医療情報を移動させる移動制御部と
を具備する医用情報処理装置。
【請求項２】
前記パラメータ取得部は、前記複数のデータセンタの性能に関する情報をさらに取得し、
前記候補算出部は、前記検査について取得した前記メタ情報、前記複数のデータセンタのネットワーク環境に関する情報、及び前記複数のデータセンタの性能に関する情報に基づき、前記位置情報により表される位置おいて、前記利用者が前記検査についての医療情報を利用するのに適したデータセンタの候補を算出する請求項１記載の医用情報処理装置。
【請求項３】
前記ネットワーク環境に関する情報、及び前記性能に関する情報には、コストに関する情報が含まれ、
前記候補算出部は、コストに関する情報も参照し、前記データセンタの候補を算出する請求項２記載の医用情報処理装置。
【請求項４】
前記候補算出部は、前記検査について取得した前記メタ情報を前記利用者へ提示し、前記利用者から指定された検査についての医療情報を利用するのに適したデータセンタの候補を算出する請求項１乃至３のいずれかに記載の医用情報処理装置。
【請求項５】
前記性能に関する情報には、前記複数のデータセンタが搭載している画像解析アプリケーションに関する情報が含まれ、
前記候補算出部は、前記利用者から画像解析の要否を受け付け、画像解析が必要とされる場合には、搭載されている画像解析アプリケーションも参照し、前記データセンタの候補を算出する請求項２又は３に記載の医用情報処理装置。
【請求項６】
前記移動制御部は、前記利用者により指定されたデータセンタのセキュリティが保証されていない場合、前記検査についての医療情報に含まれる画像データを、前記利用者により指定されたデータセンタへ移動させる請求項１乃至５のいずれかに記載の医用情報処理装置。
【請求項７】
前記パラメータ取得部は、災害情報をさらに取得し、
前記候補算出部は、前記検査について取得した前記メタ情報、前記複数のデータセンタのネットワーク環境に関する情報、前記複数のデータセンタの性能に関する情報、及び前記災害情報に基づき、前記位置情報により表される位置おいて、前記利用者が前記検査についての医療情報を利用するのに適したデータセンタの候補を算出する請求項２乃至６のいずれかに記載の医用情報処理装置。
【請求項８】
医療情報を記憶する複数のデータセンタと、
医用情報処理装置と
を具備し、
前記医用情報処理装置は、
利用者の現在の位置情報を取得する位置情報取得部と、
前記データセンタに記憶されている医療情報についてのメタ情報を、前記複数のデータセンタから検査単位で取得するメタ情報取得部と、
前記複数のデータセンタのネットワーク環境に関する情報を取得するパラメータ取得部と、
前記検査について取得した前記メタ情報、及び前記複数のデータセンタのネットワーク環境に関する情報に基づき、前記位置情報により表される位置おいて、前記利用者が前記検査についての医療情報を利用するのに適したデータセンタの候補を算出する候補算出部と、
前記算出されたデータセンタの候補を、前記利用者へ提示する候補出力部と、
前記利用者により指定されたデータセンタへ、前記検査についての医療情報を移動させる移動制御部と
を備える医療情報記憶システム。
【請求項９】
利用者の現在の位置情報を取得する位置情報取得処理と、
ネットワークにより接続される複数のデータセンタに記憶されている医療情報についてのメタ情報を、前記複数のデータセンタから検査単位で取得するメタ情報取得処理と、
前記複数のデータセンタのネットワーク環境に関する情報を取得するパラメータ取得処理と、
前記検査について取得した前記メタ情報、及び前記複数のデータセンタのネットワーク環境に関する情報に基づき、前記位置情報により表される位置おいて、前記利用者が前記検査についての医療情報を利用するのに適したデータセンタの候補を算出する候補算出処理と、
前記算出されたデータセンタの候補を、前記利用者へ提示する候補出力処理と、
前記利用者により指定されたデータセンタへ、前記検査についての医療情報を移動させる移動制御処理と
を医用情報処理装置に搭載されるプロセッサに実施させる医療情報移動プログラム。
【発明の詳細な説明】
【技術分野】
【０００１】
本発明の実施形態は、医用情報処理装置、医療情報記憶システム、及び医療情報移動プログラムに関する。
【背景技術】
【０００２】
近年、医療画像、及びレポート等の医療情報を、データセンタ等の、医療施設外の記憶システムに記憶させることが可能となっている。医師等の利用者は、医療施設外であっても、データセンタにアクセスすることで、データセンタに記憶されている医療情報を閲覧することが可能である。
【０００３】
しかしながら、利用者が位置する場所が、閲覧したい医療情報を記憶しているデータセンタから離れている場合、利用者が医療情報を取得するのに時間がかかる場合がある。このような場合、利用者の作業負担が増大することになる。
【先行技術文献】
【特許文献】
【０００４】
【特許文献１】特開２０１６−１３３９２８号公報
【発明の概要】
【発明が解決しようとする課題】
【０００５】
そこで目的は、利用者の場所に関わらず、利用者が所望する医療情報を遅延なく提供することが可能な医用情報処理装置、この装置を含む医療情報記憶システム、及びこの装置で実行される医療情報移動プログラムを提供することにある。
【課題を解決するための手段】
【０００６】
実施形態によれば、医用情報処理装置は、位置情報取得部、メタ情報取得部、パラメータ取得部、候補算出部、候補出力部、及び移動制御部を具備する。位置情報取得部は、利用者の現在の位置情報を取得する。メタ情報取得部は、ネットワークにより接続される複数のデータセンタに記憶されている医療情報についてのメタ情報を、前記複数のデータセンタから検査単位で取得する。パラメータ取得部は、前記複数のデータセンタのネットワーク環境に関する情報を取得する。候補算出部は、前記検査について取得した前記メタ情報、及び前記複数のデータセンタのネットワーク環境に関する情報に基づき、前記位置情報により表される位置おいて、前記利用者が前記検査についての医療情報を利用するのに適したデータセンタの候補を算出する。候補出力部は、前記算出されたデータセンタの候補を、前記利用者へ提示する。移動制御部は、前記利用者により指定されたデータセンタへ、前記検査についての医療情報を移動させる。
【図面の簡単な説明】
【０００７】
【図１】図１は、本実施形態に係る医療情報記憶システムの機能構成を表すブロック図である。
【図２】図２は、図１に示される医用情報処理装置の機能構成を示すブロック図である。
【図３】図３は、図１に示されるプロキシサーバの機能構成を示すブロック図である。
【図４】図４は、図１に示されるストレージサーバの機能構成を示すブロック図である。
【図５Ａ】図５Ａは、医療情報の移動先を決定する際の医療情報記憶システムにおける処理手順を説明する第１の図である。
【図５Ｂ】図５Ｂは、医療情報の移動先を決定する際の医療情報記憶システムにおける処理手順を説明する第２の図である。
【図６】図６は、図２に示される記憶回路に記憶される利用者情報を示す図である。
【図７】図７は、図２に示される記憶回路に記憶される利用者位置情報を示す図である。
【図８】図８は、図２に示される記憶回路に記憶されるＤＣ情報を示す図である。
【図９】図９は、図２に示される記憶回路に記憶される環境情報のうち、ネットワーク情報を示す図である。
【図１０】図１０は、図２に示される記憶回路に記憶される環境情報のうち、利用者−ＤＣ間情報を示す図である。
【図１１】図１１は、図２に示される記憶回路に記憶されるメタ情報を示す図である。
【図１２】図１２は、図２に示される記憶回路に記憶される災害情報を示す図である。
【図１３】図１３は、図２に示される記憶回路に記憶される重み付情報を示す図である。
【図１４】図１４は、図１に示される通信端末の表示回路で表示される表示画面を示す図である。
【図１５】図１５は、図１に示される通信端末の表示回路で表示される表示画面のその他の例を示す図である。
【図１６Ａ】図１６Ａは、データセンタ間で医療情報を移動させる際の医療情報記憶システムにおける処理手順を説明する第１の図である。
【図１６Ｂ】図１６Ｂは、データセンタ間で医療情報を移動させる際の医療情報記憶システムにおける処理手順を説明する第２の図である。
【発明を実施するための形態】
【０００８】
以下、実施の形態について、図面を参照して説明する。
【０００９】
図１は、本実施形態に係る医療情報記憶システムの機能構成の例を表すブロック図である。図１に示される医療情報記憶システムは、医用情報処理装置１０、データセンタ２０−１〜２０−３、災害情報システム３０、及び通信端末４０を具備する。医用情報処理装置１０、データセンタ２０−１〜２０−３、災害情報システム３０、及び通信端末４０は、ＩＰ網により接続されている。
【００１０】
医用情報処理装置１０は、データセンタ２０−１〜２０−３のいずれかに記憶されている医療情報を、データセンタ２０−１〜２０−３のうち利用者が所望するデータセンタへ移動させる。本実施形態において医療情報には、医療画像情報、レポート情報、及び医療情報の属性に関するメタ情報等が含まれる。なお、医療情報に、画像が撮影された患者に関する電子カルテ情報が含まれていても構わない。医療画像情報は、例えば、ＤＩＣＯＭ（digital imaging and communication in medicine）規格に準拠している。
【００１１】
図２は、図１に示される医用情報処理装置１０の機能構成の例を示すブロック図である。図２に示される医用情報処理装置１０は、信号処理回路１１、記憶回路１２、及び通信インタフェース回路１３を備える。信号処理回路１１、記憶回路１２、及び通信インタフェース回路１３は、例えば、バスを介して互いに通信可能に接続されている。
【００１２】
信号処理回路１１は、医用情報処理装置１０の中枢として機能するプロセッサである。信号処理回路１１は、記憶回路１２等に記憶されている処理プログラムを実行することにより、当該プログラムに対応する機能を実現する。
【００１３】
記憶回路１２は、種々の情報を記憶するＨＤＤ（hard disk drive）、ＳＳＤ（solid state drive）、及び集積回路記憶装置等の記憶装置である。また、記憶回路１２は、ＣＤ−ＲＯＭドライブ、ＤＶＤドライブ、及びフラッシュメモリ等の可搬性記憶媒体との間で種々の情報を読み書きする駆動装置等であってもよい。
【００１４】
記憶回路１２は、医用情報処理装置１０を利用する利用者に関する利用者情報１２１を記憶する。記憶回路１２は、信号処理回路１１の指示に従い、通信端末４０を介して利用者から入力される情報を利用者情報１２１として記憶する。利用者情報１２１には、例えば、利用者ＩＤ、氏名、職種、専門、及び所属機関等が含まれる。職種は、利用者の職種を表す。職種には、例えば、医師、及び放射線技師等が含まれる。専門は、利用者の専門科を表す。専門には、例えば、循環器内科、呼吸器内科、及び心臓血管外科等が含まれる。所属機関は、利用者が所属する医療機関を表す。所属機関には、例えば、病院名等が含まれる。
【００１５】
記憶回路１２は、利用者の位置を表す利用者位置情報１２２を記憶する。記憶回路１２は、信号処理回路１１の指示に従い、通信端末４０から出力される位置情報を利用者位置情報１２２として記憶する。利用者位置情報１２２は、例えば、緯度、及び経度により表される。
【００１６】
記憶回路１２は、データセンタ２０−１〜２０−３の性能に関するＤＣ情報１２３を記憶する。記憶回路１２は、信号処理回路１１の指示に従い、データセンタ２０−１〜２０−３から出力される情報のうち、データセンタ２０−１〜２０−３の性能に関する情報をＤＣ情報１２３として記憶する。ＤＣ情報１２３には、例えば、ＤＣＩＤ、場所、実効容量、空容量、セキュリティのレベル、利用料、処理能力のレベル、及び搭載アプリ等が含まれる。
【００１７】
場所は、データセンタ２０−１〜２０−３が設けられている場所を表す。場所には、例えば、大陸名、国名、地域名、及び県名等が含まれる。実効容量は、全体の物理容量から、冗長性を担保するための容量を控除した後の、利用者が使用可能なデータ容量を表す。冗長性を担保する技術は、当技術分野で知られている任意の技術を利用することが可能である。冗長性を担保する技術としては、例えば、ＲＡＩＤ（Redundant Arrays of Inexpensive Disks）がある。空容量は、現在空いているデータ容量を表す。セキュリティのレベルは、データセンタ２０−１〜２０−３がセキュリティ管理をどれだけ実践しているかを表す。セキュリティのレベルは、セキュリティ管理の実践の度合いに応じ、例えば、低、中、及び高により表される。利用料は、単位容量のデータを保管させる際の価格を表す。処理能力のレベルは、データセンタ２０−１〜２０−３が、受信したデータをどれだけ処理できるかを表す。処理能力は、例えば、単位時間当たりに処理できるデータ容量、及び単位電力当たりに処理できるデータ容量等により評価される。処理能力のレベルは、例えば、単位時間当たりに処理できるデータ容量に応じ、低、中、及び高により表される。搭載アプリは、画像解析で用いられる解析アプリケーションのうち、データセンタ２０−１〜２０−３に搭載されているアプリケーションを表す。
【００１８】
記憶回路１２は、データセンタ２０−１〜２０−３の現在の環境を表す環境情報１２４を記憶する。記憶回路１２は、信号処理回路１１の指示に従い、データセンタ２０−１〜２０−３から出力される情報のうち、データセンタ２０−１〜２０−３が置かれている環境に関する情報を環境情報１２４として記憶する。環境情報１２４には、例えば、ネットワーク情報、及び利用者−ＤＣ間情報が含まれる。
【００１９】
ネットワーク情報は、データセンタ間のネットワークの状況を表す。ネットワーク情報には、例えば、帯域の広さ、利用状況（付加状況）、専用高速回線の有無、及び回線利用料の高低等が含まれる。帯域の広さは、ネットワークの通信速度を表す。帯域の広さは、ネットワークの通信速度に応じ、狭、中、及び広により表される。利用状況は、ネットワークにどれだけ負荷がかかっているかを表す。利用状況は、例えば、トラフィックにより評価される。利用状況は、トラフィックの量に応じ、小、中、及び多により表される。回線利用料は、回線を利用した際の利用料の程度を表す。回線利用料は、利用料に応じ、低、中、及び高により表される。
【００２０】
利用者−ＤＣ間情報は、利用者と、データセンタ２０−１〜２０−３との間の関係を表す。利用者−ＤＣ間情報には、利用者との距離、及びアクセス速度のレベル等が含まれる。利用者との距離は、利用者とデータセンタ２０−１〜２０−３との間の距離を表す。アクセス速度は、利用者がデータセンタ２０−１〜２０−３へアクセスした際の応答速度を表す。アクセス速度は、応答速度に応じ、低、中、及び高により表される。
【００２１】
記憶回路１２は、データセンタ２０−１〜２０−３に記憶されている医療情報の属性に関するメタ情報１２５を記憶する。記憶回路１２は、信号処理回路１１の指示に従い、データセンタ２０−１〜２０−３から出力されるメタ情報を、メタ情報１２５として記憶する。メタ情報１２５には、例えば、検査ＩＤ、患者ＩＤ、緊急度、機密性、担当、ＤＣ上での解析の有無、及び利用ＤＣが含まれる。ＤＣ上での解析の有無は、データセンタ２０−１〜２０−３において解析アプリケーションによる画像処理が実施されたか否かを表す。利用ＤＣは、医療情報が記憶されているデータセンタを識別可能な情報を表す。
【００２２】
記憶回路１２は、所定の国、及び所定の地方の災害に関する情報を表す災害情報１２６を記憶する。記憶回路１２は、信号処理回路１１の指示に従い、災害情報システム３０から出力される災害情報を、災害情報１２６として記憶する。災害情報１２６には、例えば、台風、地震、及び噴火等が含まれる。
【００２３】
記憶回路１２は、移動先の候補となるデータセンタを選定する際に用いられる重み付情報１２７を記憶する。重み付情報１２７は、記憶回路１２に予め記憶されている。重み付情報１２７は、所定の観点毎に重み係数が設定されている。所定の観点は、ＤＣ情報１２３、及び環境情報１２４に含まれるデータ項目に基づいて選択される。所定の観点には、例えば、空容量、セキュリティ、コスト、処理能力、搭載アプリ、帯域、負荷状況、専用高速回線の有無、利用者との距離、アクセス速度、及び災害状況等が含まれる。移動先の候補となるデータセンタを算出する際には、観点として設定されたデータ項目のパラメータに、その観点に割り当てられた重み係数が反映される。
【００２４】
また、重み付情報１２７は、想定されるシーンに応じて観点毎の重み係数をカスタマイズ可能である。想定されるシーンには、例えば、医療情報の緊急度が「高」であること、及び医療情報の緊急度が「無」であり、かつ、機密性が「高」である場合等が含まれる。
【００２５】
通信インタフェース回路１３は、ＩＰ網等を介して接続されたデータセンタ２０−１〜２０−３、災害情報システム３０、及び通信端末４０との間でデータ通信を行う。
【００２６】
図２に示される信号処理回路１１は、記憶回路１２に記憶されている処理プログラムを実行することで、当該プログラムに対応する機能を実現する。例えば、信号処理回路１１は、処理プログラムを実行することで、利用者決定機能１１１、メタ情報取得機能１１２、パラメータ取得機能１１３、候補算出機能１１４、候補出力機能１１５、ＤＣ決定機能１１６、及び移動制御機能１１７を有する。なお、本実施形態では、単一のプロセッサによって利用者決定機能１１１、メタ情報取得機能１１２、パラメータ取得機能１１３、候補算出機能１１４、候補出力機能１１５、ＤＣ決定機能１１６、及び移動制御機能１１７が実現される場合を説明するが、これに限定されない。例えば、複数の独立したプロセッサを組み合わせて信号処理回路を構成し、各プロセッサが処理プログラムを実行することにより利用者決定機能１１１、メタ情報取得機能１１２、パラメータ取得機能１１３、候補算出機能１１４、候補出力機能１１５、ＤＣ決定機能１１６、及び移動制御機能１１７を実現しても構わない。
【００２７】
利用者決定機能１１１は、医用情報処理装置１０の利用者を決定する機能である。また、利用者決定機能１１１は、決定した利用者の現在の位置情報を取得する機能も有する。
【００２８】
メタ情報取得機能１１２は、データセンタ２０−１〜２０−３から、データセンタ２０−１〜２０−３に記憶されている医療情報の属性に関するメタ情報１２５を取得する機能である。
【００２９】
パラメータ取得機能１１３は、データセンタ２０−１〜２０−３から、データセンタ２０−１〜２０−３の性能に関するＤＣ情報１２３を取得する機能である。また、パラメータ取得機能１１３は、データセンタ２０−１〜２０−３から、データセンタ２０−１〜２０−３の現在の環境を表す環境情報１２４を取得する機能である。
【００３０】
候補算出機能１１４は、データセンタ２０−１〜２０−３のうち、医療情報を移動させるデータセンタの候補を算出する機能である。
【００３１】
候補出力機能１１５は、算出したデータセンタの候補を通信端末４０に出力する機能である。
【００３２】
ＤＣ決定機能１１６は、医療情報の移動先となるデータセンタを決定する機能である。
【００３３】
移動制御機能１１７は、医療情報を記憶するデータセンタに、移動先として決定したデータセンタへ医療情報を移動させる機能である。
【００３４】
データセンタ２０−１〜２０−３は、それぞれがクラウドコンピューティングサービスを提供するシステムである。データセンタ２０−１〜２０−３は、それぞれが例えば、異なる国、又は異なる地域に設けられる。データセンタ２０−１〜２０−３は、それぞれがセキュアなデータセンタである。セキュアなデータセンタとは、例えば、所定の情報セキュリティの基準を満たしているデータセンタを意味する。また、所定の情報セキュリティの基準を満たすとは、例えば、国際的に認証されている規格を準拠すると言い換えることも可能である。データセンタ２０−１〜２０−３では、記憶される情報の機密性、完全性、及び可用性が担保されている。データセンタ２０−１〜２０−３の構成はそれぞれ同様であるため、ここでは、データセンタ２０として説明を進める。
【００３５】
データセンタ２０は、図１に示されるように、プロキシサーバ２１、及びストレージサーバ２２−１〜２２−３を備える。プロキシサーバ２１は、ＩＰ網と接続している。また、プロキシサーバ２１は、内部ネットワークであるＬＡＮ（Local Area network）を介してストレージサーバ２２−１〜２２−３と接続している。
【００３６】
なお、図１では、データセンタ２０がプロキシサーバ２１を備える場合を示しているが、これに限定されない。例えば、プロキシサーバ２１の代わりに、セキュリティを担保する機能を有するその他のサーバが設けられても構わない。また、プロキシサーバ２１の機能はソフトウェアにより実現されてもよい。このとき、プロキシサーバ２１の機能はストレージサーバ２２−１〜２２−３のいずれかに実装されてもよい。
【００３７】
プロキシサーバ２１は、内部ネットワークであるＬＡＮと、外部ネットワークであるＩＰ網とを接続する際に、接続を代行する装置である。プロキシサーバ２１は、例えば、ファイヤーウォール機能を有する。
【００３８】
図３は、図１に示されるプロキシサーバ２１の機能構成の例を示すブロック図である。図３に示されるプロキシサーバ２１は、信号処理回路２１１、記憶回路２１２、及び通信インタフェース回路２１３を備える。信号処理回路２１１、記憶回路２１２、及び通信インタフェース回路２１３は、例えば、バスを介して互いに通信可能に接続されている。
【００３９】
信号処理回路２１１は、プロキシサーバ２１の中枢として機能するプロセッサである。信号処理回路２１１は、記憶回路２１２等に記憶されている処理プログラムを実行することにより、当該プログラムに対応する機能を実現する。
【００４０】
記憶回路２１２は、種々の情報を記憶するＨＤＤ、ＳＳＤ、及び集積回路記憶装置等の記憶装置である。また、記憶回路２１２は、ＣＤ−ＲＯＭドライブ、ＤＶＤドライブ、及びフラッシュメモリ等の可搬性記憶媒体との間で種々の情報を読み書きする駆動装置等であってもよい。
【００４１】
記憶回路２１２は、データセンタについての情報を記憶している。データセンタについての情報は、例えば、データセンタのセキュリティに関する情報、利用料に関する情報、実効容量に関する情報、処理能力に関する情報、データセンタ間のネットワークに関する情報、及び搭載アプリに関する情報等を含む。セキュリティに関する情報には、セキュリティ管理の実践の度合いを表す情報、例えば、準拠している国際認証規格に関する情報、満たしている情報セキュリティ基準に関する情報、及び担保されているセキュリティ管理の条項等が含まれる。
【００４２】
実効容量に関する情報には、データセンタの実効容量を算出するための情報、例えば、ストレージサーバ２２−１〜２２−３全体の物理容量、及び情報の冗長処理に関する情報等が含まれる。
【００４３】
処理能力に関する情報には、単位時間当たりに処理できるデータ容量、及び／又は単位電力当たりに処理できるデータ容量等を評価可能な情報、例えば、プロキシサーバ２１の製品名、ストレージサーバ２２−１〜２２−３の製品名、並びに、プロキシサーバ２１、及びストレージサーバ２２−１〜２２−３で使用されているＣＰＵの名称等が含まれる。
【００４４】
データセンタ間のネットワークに関する情報には、データセンタ間で構築されている専用高速回線に関する情報、及びデータセンタ間で通信接続をする際の回線利用料に関する情報等が含まれる。専用高速回線に関する情報には、例えば、構築されている専用高速回線の名称が含まれる。
【００４５】
搭載アプリに関する情報には、ストレージサーバ２２−１〜２２−３にインストールされている解析アプリケーションの名称が含まれる。
【００４６】
通信インタフェース回路２１３は、ＬＡＮを介して接続されたストレージサーバ２２−１〜２２−３との間でデータ通信を行う。
【００４７】
図３に示される信号処理回路２１１は、記憶回路２１２に記憶されている処理プログラムを実行することで、当該プログラムに対応する機能を実現する。例えば、信号処理回路２１１は、処理プログラムを実行することで、読出制御機能２１１１、移動制御機能２１１２、通信制御機能２１１３、計測機能２１１４、算出機能２１１５、及び書込制御機能２１１６を有する。
【００４８】
なお、本実施形態では、単一のプロセッサによって読出制御機能２１１１、移動制御機能２１１２、通信制御機能２１１３、計測機能２１１４、算出機能２１１５、及び書込制御機能２１１６が実現される場合を説明するが、これに限定されない。例えば、複数の独立したプロセッサを組み合わせて信号処理回路を構成し、各プロセッサが処理プログラムを実行することにより読出制御機能２１１１、移動制御機能２１１２、通信制御機能２１１３、計測機能２１１４、算出機能２１１５、及び書込制御機能２１１６を実現しても構わない。
【００４９】
読出制御機能２１１１は、医用情報処理装置１０からの指示に従い、ストレージサーバ２２−１〜２２−３に記憶されている医療情報のうち、医療情報の属性に関するメタ情報を読み出す機能である。
【００５０】
移動制御機能２１１２は、ストレージサーバ２２−１〜２２−３に記憶されている医療情報を、医用情報処理装置１０により指定されるデータセンタへ移動させる機能である。
【００５１】
通信制御機能２１１３は、ストレージサーバ２２−１〜２２−３と、ＩＰ網に接続される種々の装置との通信接続を制御する機能である。
【００５２】
計測機能２１１４は、データセンタの現在のネットワーク環境を表す指標を計測する機能である。ネットワーク環境を表す指標には、ネットワークの通信速度（スループット）、ネットワークの負荷状況（トラフィック）、及び応答速度が含まれる。スループットを計測する方法は、当技術分野で知られている任意の方法を利用することが可能である。トラフィックを計測する方法は、当技術分野で知られている任意の方法を利用することが可能である。応答速度を計測する方法は、当技術分野で知られている任意の方法を利用することが可能である。
【００５３】
算出機能２１１５は、データセンタの実効容量、及び空容量を算出する機能である。データセンタの実効容量、及び空容量を算出する方法は、当技術分野で知られている任意の方法を利用することが可能である。
【００５４】
書込制御機能２１１６は、医用情報処理装置１０からの指示に従い、他のデータセンタから移動された医療情報を、ストレージサーバ２２−１〜２２−３へ書き込む機能である。
【００５５】
図４は、図１に示されるストレージサーバ２２の機能構成の例を示すブロック図である。図４に示されるストレージサーバ２２は、信号処理回路２２１、記憶回路２２２、及び通信インタフェース回路２２３を備える。信号処理回路２２１、記憶回路２２２、及び通信インタフェース回路２２３は、例えば、バスを介して互いに通信可能に接続されている。
【００５６】
信号処理回路２２１は、ストレージサーバ２２の中枢として機能するプロセッサである。信号処理回路２２１は、記憶回路２２２等に記憶されている処理プログラムを実行することにより、当該プログラムに対応する機能を実現する。
【００５７】
記憶回路２２２は、種々の情報を記憶するＨＤＤ、ＳＳＤ、及び集積回路記憶装置等の記憶装置である。記憶回路２２２は、医療情報を記憶している。記憶回路２２２は、信号処理回路２２１からの指示に従い、記憶している医療情報を読み出す。また、記憶回路２２２は、信号処理回路２２１からの指示に従い、プロキシサーバ２１を介して入力される医療情報を書き込む。
【００５８】
また、記憶回路２２２は、医療画像情報を解析するための解析アプリケーションを記憶している。
【００５９】
通信インタフェース回路２２３は、ＬＡＮを介して接続されたプロキシサーバ２１との間でデータ通信を行う。
【００６０】
図４に示される信号処理回路２２１は、記憶回路２２２に記憶されている処理プログラム、及び解析アプリケーションを実行することで、当該プログラム、及び解析アプリケーションに対応する機能を実現する。例えば、信号処理回路２２１は、処理プログラムを実行することで、読出制御機能２２１１、通信制御機能２２１２、及び書込制御機能２２１３を有する。また、信号処理回路２２１は、解析アプリケーションを実行することで、画像処理機能２２１４を有する。
【００６１】
なお、本実施形態では、単一のプロセッサによって読出制御機能２２１１、通信制御機能２２１２、及び書込制御機能２２１３、及び画像処理機能２２１４が実現される場合を説明するが、これに限定されない。例えば、複数の独立したプロセッサを組み合わせて信号処理回路を構成し、各プロセッサが処理プログラム、及び解析アプリケーションを実行することにより通信制御機能２２１２、及び書込制御機能２２１３、及び画像処理機能２２１４を実現しても構わない。
【００６２】
読出制御機能２２１１は、プロキシサーバ２１からの指示に従い、記憶回路２２２に記憶されている医療情報を読み出す機能である。
【００６３】
通信制御機能２２１２は、プロキシサーバ２１との通信接続を制御する機能である。
【００６４】
書込制御機能２２１３は、プロキシサーバ２１からの指示に従い、医療情報を記憶回路２２２へ書き込む機能である。
【００６５】
画像処理機能２２１４は、プロキシサーバ２１からの指示に従い、記憶回路２２２に記憶している医療画像情報に対し、解析アプリケーションを用いた画像処理を実施する機能である。
【００６６】
災害情報システム３０は、世界各地の災害に関する情報を収集し、収集した情報を災害情報として記憶している。災害情報システム３０は、医用情報処理装置１０からの指示に応じ、記憶している災害情報を医用情報処理装置１０へ送信する。
【００６７】
通信端末４０は、利用者が所有するＩＰ網に接続可能なデバイスである。通信端末４０は、例えば、スマートフォン、タブレットＰＣ、及びノートＰＣ等を含む。通信端末４０は、信号処理回路、記憶回路、入力インタフェース回路、位置取得回路、表示回路、及び通信回路を備える。
【００６８】
信号処理回路は、通信端末４０の中枢として機能するプロセッサである。信号処理回路は、記憶回路等に記憶されている処理プログラムを実行することにより、当該プログラムに対応する機能を実現する。入力インタフェース回路は、例えば、マウス、キーボード、及び、操作面へ触れることで指示が入力されるタッチパッド等により実現される。入力インタフェース回路は、信号処理回路に接続され、利用者から入力される操作指示を電気信号へ変換し、電気信号を信号処理回路へ出力する。
【００６９】
位置取得回路は、通信端末４０の位置情報を取得するための回路である。位置情報を取得する方法は、当技術分野で知られている任意の方法を利用することが可能である。例えば、位置取得回路は、ＧＰＳ（Global Positioning System）を利用して位置情報を取得する。また、位置取得回路は、例えば、無線接続する基地局のアドレス等に基づいて位置を取得してもよい。また、位置取得回路は、周囲の通信端末との位置関係に基づいて位置を取得してもよい。位置取得回路は、予め設定された周期で位置情報を送信してもよいし、利用者の入力に基づいて位置情報を送信してもよい。なお、位置取得機能は、位置取得回路等のハードウェア構成により実現されてもよいし、信号処理回路によるソフトウェア処理により実現されてもよい。
【００７０】
表示回路には、例えば、ＣＲＴディスプレイ、液晶ディスプレイ、有機ＥＬディスプレイ、ＬＥＤディスプレイ、及びプラズマディスプレイ等が含まれる。なお、表示対象を表すデータをビデオ信号に変換し、ビデオ信号を外部へ出力する処理回路も表示回路に含まれる。通信回路は、アンテナ、及びデジタル信号を無線信号へ変換する復号回路、無線信号をデジタル信号へ変換する符号化回路等を含む。通信回路は、利用者により入力された指示、及び位置情報等を無線信号へ変換し、変換した無線信号を医用情報処理装置１０へ送信する。
【００７１】
次に、以上のように構成された医療情報記憶システムにおいて、医療情報が移動される処理を詳細に説明する。図５は、医療情報の移動先を決定する際の医療情報記憶システムにおける処理手順の例を説明する図を示す。図５の例では、データセンタ２０−１が日本に設けられ、データセンタ２０−２が米国に設けられ、データセンタ２０−３が中国に設けられる場合を説明する。なお、ここでは、データセンタ２０−１〜２０−３がそれぞれ日本、米国、及び中国に設けられている場合を例に説明するが、これに限定されない。データセンタは、これらの国以外にも設けられていてもよい。また、データセンタは、欧州等の地方に設けられていてもよい。
【００７２】
医用情報処理装置１０の利用を希望する者は、医用情報処理装置１０を利用する前に、予め利用者登録をする。すなわち、希望者は、通信端末４０を操作し、利用者登録サイトへアクセスする。利用者登録サイトへアクセスすると、希望者は、利用者登録サイトの案内に従い、自身の氏名、職種、専門、及び所属機関等を必要事項として入力する。医用情報処理装置１０の信号処理回路１１は、必要事項を入力した希望者へ、任意の数値、又は登録順に基づいた番号を利用者ＩＤとして割り当てる。信号処理回路１１は、利用者ＩＤ、氏名、職種、専門、及び所属機関を、利用者情報１２１として記憶回路１２に記憶する。
【００７３】
図６は、本実施形態に係る記憶回路１２に記憶される利用者情報１２１の例を示す図である。図６によれば、利用者情報１２１には、利用者ＩＤ：００００１、氏名：医師一郎、職種：医師、専門：循環器内科、及び所属機関：病院Ａが登録されている。また、利用者情報１２１には、利用者ＩＤ：００００２、氏名：技師二郎、職種：放射線技師、専門：−、及び所属機関：病院Ｂが登録されている。
【００７４】
以下では、日本にいる医師一郎が、データセンタ２０−２〜２０−３に記憶されている医療情報を移動させる場合を例に説明する。
【００７５】
まず、図５Ａにおいて、医師一郎は、通信端末４０を操作し、医療情報の移動を希望している旨を入力する。医師一郎からの入力があると、通信端末４０の位置取得回路は、例えば、ＧＰＳを利用して医師一郎の現在の位置情報：（ＸＸＸ，ＹＹＹ）を取得する。このとき、例えば、ＸＸＸは緯度を表し、ＹＹＹは経度を表す。通信端末４０は、位置情報：（ＸＸＸ，ＹＹＹ）、及び医師一郎の利用者ＩＤ：００００１を含め、医師一郎が医師情報の移動を希望している旨を表す希望信号を生成する。通信端末４０は、生成した希望信号を、ＩＰ網を介して医用情報処理装置１０へ送信する（ステップＳ５１）。
【００７６】
医用情報処理装置１０の信号処理回路１１は、ＩＰ網を介して希望信号を受信すると、利用者決定機能１１１を実行する。利用者決定機能１１１を実行すると信号処理回路１１は、希望信号に含まれる利用者ＩＤ：００００１が、記憶回路１２に記憶される利用者情報１２１に含まれているか否かを判断する。利用者ＩＤ：００００１が利用者情報１２１に含まれている場合、信号処理回路１１は、医師一郎を利用者として決定する（ステップＳ５２）。
【００７７】
信号処理回路１１は、医師一郎を利用者として決定すると、医師一郎の利用者ＩＤ：００００１と、希望信号に含まれる位置情報：（ＸＸＸ，ＹＹＹ）とを関連付ける。信号処理回路１１は、利用者ＩＤ：００００１と関連付けた位置情報：（ＸＸＸ，ＹＹＹ）を、利用者位置情報１２２として記憶回路１２に記憶する（ステップＳ５３）。図７は、本実施形態に係る記憶回路１２に記憶される利用者位置情報１２２の例を示す図である。
【００７８】
利用者位置情報１２２を記憶すると、信号処理回路１１は、メタ情報取得機能１１２、及びパラメータ取得機能１１３を実行する。メタ情報取得機能１１２を実行すると信号処理回路１１は、利用者ＩＤ：００００１に基づき、氏名：医師一郎を利用者情報１２１から読み出す。信号処理回路１１は、氏名：医師一郎が担当した検査についてのメタ情報を要求するメタ情報要求信号を生成する。信号処理回路１１は、生成したメタ情報要求信号をデータセンタ２０−１〜２０−３へ送信する（ステップＳ５４）。
【００７９】
また、パラメータ取得機能１１３を実行すると信号処理回路１１は、利用者ＩＤ：００００１に基づき、位置情報（ＸＸＸ，ＹＹＹ）を利用者位置情報１２２から読み出す。信号処理回路１１は、位置情報：（ＸＸＸ，ＹＹＹ）を含め、パラメータ要求信号を、データセンタ２０−１〜２０−３へ送信する（ステップＳ５４）。パラメータ要求信号は、データセンタの性能に関する情報、及びデータセンタが置かれている環境に関する情報を要求する信号である。
【００８０】
データセンタ２０−１に設けられるプロキシサーバ２１は、ＩＰ網を介してメタ情報要求信号を受信する。プロキシサーバ２１の信号処理回路２１１は、メタ情報要求信号を受信すると、読出制御機能２１１１を実行する。読出制御機能２１１１を実行すると信号処理回路２１１は、氏名：医師一郎が担当した検査についてのメタ情報の読み出しを指示する第１の読出信号を生成する。信号処理回路２１１は、生成した第１の読出信号を、ＬＡＮを介し、データセンタ２０−１に設けられるストレージサーバ２２−１〜２２−３へ送信する（ステップＳ５５）。
【００８１】
ストレージサーバ２２−１の信号処理回路２２１は、ＬＡＮを介して第１の読出信号を受信すると、読出制御機能２２１１を実行する。読出制御機能２２１１を実行すると信号処理回路２２１は、記憶回路２２２に記憶されている医療情報からメタ情報を読み出す。
【００８２】
具体的には、記憶回路２２２に記憶されている医療画像情報は、例えば、ＤＩＣＯＭ規格に準拠した医療画像ファイルである。医療画像ファイルは、画像データと、画像データの属性を表す付帯情報とを含んでいる。信号処理回路２２１は、記憶回路２２２に記憶されている医療画像ファイルから付帯情報を読み出すことでメタ情報を取得する。読み出したメタ情報には、検査ＩＤ、患者ＩＤ、緊急度、機密性、担当、解析処理の有無が含まれる。なお、解析処理があった場合には、実施された解析処理の名称を表す情報が含まれる。
【００８３】
信号処理回路２２１は、メタ情報を読み出すと、読み出したメタ情報のうち、担当が「医師一郎」であるメタ情報を抽出する（ステップＳ５６）。信号処理回路２２１は、抽出した、担当が「医師一郎」であるメタ情報を、ＬＡＮを介してプロキシサーバ２１へ送信する（ステップＳ５７）。一方、担当が「医師一郎」であるメタ情報が抽出できなかった場合、信号処理回路２２１は、所望のメタ情報がない旨をプロキシサーバ２１へ通知する（ステップＳ５７）。
【００８４】
第１の読出信号を受信したストレージサーバ２２−２，２２−３も、ステップＳ５６、及びステップＳ５７の処理を実施する。これにより、ストレージサーバ２２−２，２２−３からも、メタ情報、又は所望のメタ情報がない旨の通知がプロキシサーバ２１へ送信される。
【００８５】
データセンタ２０−１に設けられるプロキシサーバ２１の信号処理回路２１１は、ＬＡＮを介してストレージサーバ２２−１〜２２−３からメタ情報を受信した場合、受信したメタ情報を、ＩＰ網を介して医用情報処理装置１０へ送信する（ステップＳ５８）。一方、ストレージサーバ２２−１〜２２−３から送信される信号にメタ情報がない場合、すなわち、ストレージサーバ２２−１〜２２−３の全てから所望のメタ情報がない旨が通知された場合、信号処理回路２１１は、所望のメタ情報がない旨を、ＩＰ網を介して医用情報処理装置１０へ通知する（ステップＳ５８）。
【００８６】
メタ情報要求信号を受信したデータセンタ２０−２，２０−３に設けられるプロキシサーバ２１、及びストレージサーバ２２−１〜２２−３も、ステップＳ５５乃至ステップＳ５８の処理を実施する。これにより、データセンタ２０−２，２０−３からも、メタ情報、又はメタ情報がない旨の通知が、医用情報処理装置１０へ送信される。
【００８７】
また、データセンタ２０−１に設けられるプロキシサーバ２１は、ＩＰ網を介してパラメータ要求信号を受信する。プロキシサーバ２１の信号処理回路２１１は、パラメータ要求信号を受信すると、計測機能２１１４、及び算出機能２１１５を実行する。計測機能２１１４を実行すると信号処理回路２１１は、データセンタ２０−１の現在のネットワーク環境を表す指標を計測する（ステップＳ５９）。
【００８８】
具体的には、信号処理回路２１１は、データセンタ２０−２に設けられるプロキシサーバ２１からデータセンタ２０−１に設けられるプロキシサーバ２１までのデータの通信速度（スループット）を計測する。また、信号処理回路２１１は、データセンタ２０−３に設けられるプロキシサーバ２１からデータセンタ２０−１に設けられるプロキシサーバ２１までのデータの通信速度を計測する。また、信号処理回路２１１は、データセンタ２０−１に設けられるプロキシサーバ２１における負荷状況（トラフィック）を計測する。
【００８９】
また、信号処理回路２１１は、パラメータ要求信号から位置情報：（ＸＸＸ，ＹＹＹ）を読み出し、（ＸＸＸ，ＹＹＹ）からデータセンタ２０−１までの距離を算出する。信号処理回路２１１は、（ＸＸＸ，ＹＹＹ）近傍に配置されるルータ、又は基地局等へ、ＩＰ網を介して計測信号を送信する。信号処理回路２１１は、ルータ、又は基地局等から返信された計測信号を受信する。信号処理回路２１１は、計測信号を送信してから受信するまでの時間を計測することで、応答速度を取得する。
【００９０】
信号処理回路２１１は、ネットワーク環境を表す指標、及び記憶回路２１２に記憶されているデータセンタ間のネットワークに関する情報を、データセンタが置かれている環境に関する情報として、医用情報処理装置１０へ送信する（ステップＳ５１０）。このとき、ネットワーク環境を表す指標には、例えば、計測したスループット、計測したトラフィック、計測した応答速度、及び利用者からデータセンタ２０−１までの距離が含まれる。また、データセンタ間のネットワークに関する情報には、例えば、専用高速回線に関する情報、及び回線利用料に関する情報が含まれる。
【００９１】
また、算出機能２２１５を実行すると信号処理回路２１１は、データセンタ２０−１の実効容量、及び空容量を算出する（ステップＳ５１１）。具体的には、信号処理回路２１１は、記憶回路２１２に記憶されている実効容量に関する情報を読み出す。信号処理回路２１１は、例えば、ストレージサーバ２２−１〜２２−３全体の物理容量から、情報の冗長処理で控除される容量を削除することで、実効容量を算出する。また、信号処理回路２１１は、ストレージサーバ２２−１〜２２−３の空容量を合算することで、データセンタ２０−１の空容量を算出する。
【００９２】
信号処理回路２１１は、算出した実効容量、及び空容量、並びに、記憶回路２１２に記憶されているセキュリティに関する情報、利用料に関する情報、処理能力に関する情報、及び搭載アプリに関する情報を、データセンタの性能に関する情報として送信する（ステップＳ５１２）。
【００９３】
パラメータ要求信号を受信したデータセンタ２０−２，２０−３に設けられるプロキシサーバ２１も、ステップＳ５９乃至ステップＳ５１２の処理を実施する。これにより、データセンタ２０−２，２０−３からも、データセンタが置かれている環境に関する情報、及びデータセンタの性能に関する情報が、医用情報処理装置１０へ送信される。
【００９４】
医用情報処理装置１０の信号処理回路１１は、データセンタ２０−１〜２０−３から送信される情報に基づき、ＤＣ情報１２３、環境情報１２４、及びメタ情報１２５を生成する。信号処理回路１１は、生成したＤＣ情報１２３、環境情報１２４、及びメタ情報１２５を、記憶回路１２に記憶する（ステップＳ５１３）。
【００９５】
より詳細には、信号処理回路１１は、データセンタ２０−１〜２０−３から送信される、データセンタの性能に関する情報に基づき、ＤＣ情報１２３を生成する。
【００９６】
具体的には、信号処理回路１１は、性能に関する情報に含まれる、セキュリティに関する情報に応じ、セキュリティのレベルを表すパラメータを設定する。例えば、セキュリティに関する情報に、所定の国際認証規格を準拠している旨が記載されている場合、信号処理回路１１は、セキュリティ管理が高いレベルで実践されていることを表す「高」を設定する。また、セキュリティに関する情報に、予め設定されているセキュリティ管理の条項が含まれている場合、信号処理回路１１は、セキュリティ管理のレベルが中程度であることを表す「中」を設定する。また、セキュリティに関する情報に、予め設定されているセキュリティ管理の条項が含まれていない場合、信号処理回路１１は、セキュリティ管理のレベルが低いことを表す「低」を設定する。
【００９７】
また、信号処理回路１１は、性能に関する情報に含まれる、処理能力に関する情報に応じ、処理能力のレベルを表すパラメータを設定する。例えば、信号処理回路１１は、処理能力に関する情報を参照し、データセンタ２０−１〜２０−３で単位時間当たりに処理可能なデータ容量を推定する。推定したデータ容量が、予め設定されている第１データ容量より大きい場合、信号処理回路１１は、処理能力が高いことを表す「高」を設定する。また、推定したデータ容量が予め設定される第２データ容量より大きく、第１データ容量未満である場合、信号処理回路１１は、処理能力が中程度であることを表す「中」を設定する。また、推定したデータ容量が第２データ容量未満である場合、信号処理回路１１は、処理能力が低いことを表す「低」を設定する。
【００９８】
本実施形態においては、信号処理回路１１は、例えば、データセンタ２０−１から送信される、データセンタの性能に関する情報に基づき、ＤＣＩＤ：ＤＣ１、場所：日本、実効容量：１００ＴＢ、空容量：５０ＴＢ、セキュリティ：高、利用料：￥１０／ＧＢ、処理能力：中、及び搭載アプリ：心臓ＣＴ／ＭＲ，脳ＣＴ／ＭＲ，レポートのレコードを生成する。
【００９９】
また、信号処理回路１１は、データセンタ２０−２から送信される、データセンタの性能に関する情報に基づき、ＤＣＩＤ：ＤＣ２、場所：米国、実効容量：２００ＴＢ、空容量：１００ＴＢ、セキュリティ：中、利用料：￥１５／ＧＢ、処理能力：高、及び搭載アプリ：心臓ＣＴ／ＭＲ，レポートのレコードを生成する。
【０１００】
また、信号処理回路１１は、データセンタ２０−３から送信される、データセンタの性能に関する情報に基づき、ＤＣＩＤ：ＤＣ３、場所：中国、実効容量：５００ＴＢ、空容量：５ＴＢ、セキュリティ：低、利用料：￥２０／ＧＢ、処理能力：低、及び搭載アプリ：整形ＣＴ，肝臓ＣＴ，肺ＣＴのレコードを生成する。信号処理回路１１は、生成したレコードを、ＤＣ情報１２３として記憶回路１２に記憶する。図８は、本実施形態に係る記憶回路１２に記憶されるＤＣ情報１２３の例を示す図である。
【０１０１】
また、信号処理回路１１は、データセンタ２０−１〜２０−３から送信される、データセンタが置かれている環境に関する情報に基づき、環境情報１２４を生成する。
【０１０２】
具体的には、信号処理回路１１は、環境に関する情報に含まれるスループットの値に応じ、帯域の広さを表すパラメータを設定する。例えば、データセンタ間のスループットの値が予め設定される第１通信速度（ｂｐｓ）より大きい場合、信号処理回路１１は、帯域が広いことを表す「広」を設定する。また、データセンタ間のスループットの値が予め設定される第２通信速度より大きく、第１通信速度未満である場合、信号処理回路１１は、帯域が中程度であることを表す「中」を設定する。また、データセンタ間のスループットの値が第２通信速度未満である場合、信号処理回路１１は、帯域が狭いことを表す「狭」を設定する。
【０１０３】
また、信号処理回路１１は、環境に関する情報に含まれるトラフィックの値に応じ、利用状況（負荷状況）の多さを表すパラメータを設定する。例えば、データセンタ間のトラフィックの値が予め設定されている第１ネットワーク使用率より大きい場合、信号処理回路１１は、利用が多いことを表す「多」を設定する。また、データセンタ間のトラフィックの値が予め設定される第２ネットワーク使用率より大きく、第１ネットワーク使用率未満である場合、信号処理回路１１は、利用状況が中程度であることを表す「中」を設定する。また、データセンタ間のトラフィックの値が第２ネットワーク使用率未満である場合、信号処理回路１１は、利用が少ないことを表す「少」を設定する。
【０１０４】
また、信号処理回路１１は、環境に関する情報に含まれる、専用高速回線に関する情報に基づき、専用高速回線の有無を設定する。例えば、専用高速回線に関する情報に、所定の専用高速回線の名称が含まれている場合、信号処理回路１１は、専用高速回線が「有」とする。一方、専用高速回線に関する情報に、専用高速回線の名称が含まれていない場合、信号処理回路１１は、専用高速回線が「無」とする。
【０１０５】
また、信号処理回路１１は、環境に関する情報に含まれる、回線利用料に関する情報に応じ、回線利用料の程度を表すパラメータを設定する。例えば、データセンタ間の回線利用料が予め設定されている第１利用料より高い場合、信号処理回路１１は、回線利用料が高いことを表す「高」を設定する。また、データセンタ間の回線利用料が予め設定される第２利用料より大きく、第１利用料未満である場合、信号処理回路１１は、回線利用料が中程度であることを表す「中」を設定する。また、回線利用料が第２利用料未満である場合、信号処理回路１１は、回線利用料が低いことを表す「低」を設定する。
【０１０６】
本実施形態においては、信号処理回路１１は、例えば、データセンタ２０−１，２０−２から送信される、データセンタが置かれている環境に関する情報に基づき、ネットワーク：ＤＣ１−ＤＣ２、帯域：広、利用状況：多、専用高速回線：有、及び回線利用料：高のレコードを生成する。
【０１０７】
また、信号処理回路１１は、データセンタ２０−１，２０−３から送信される、データセンタが置かれている環境に関する情報に基づき、ネットワーク：ＤＣ１−ＤＣ３、帯域：中、利用状況：少、専用高速回線：有、及び回線利用料：低のレコードを生成する。
【０１０８】
また、信号処理回路１１は、データセンタ２０−２，２０−３から送信される、データセンタが置かれている環境に関する情報に基づき、ネットワーク：ＤＣ２−ＤＣ３、帯域：狭、利用状況：多、専用高速回線：無、及び回線利用料：低のレコードを生成する。信号処理回路１１は、生成したレコードを、環境情報１２４のうち、ネットワーク情報として記憶回路１２に記憶する。図９は、本実施形態に係る記憶回路１２に記憶される環境情報１２４のうち、ネットワーク情報の例を示す図である。
【０１０９】
また、信号処理回路１１は、データセンタが置かれている環境に関する情報に含まれる応答速度の値に応じ、アクセス速度の早さを表すパラメータを設定する。例えば、応答速度の値が予め設定される第１応答速度より大きい場合、信号処理回路１１は、アクセス速度が早いことを表す「早」を設定する。また、応答速度の値が予め設定される第２応答速度より大きく、第１応答速度未満である場合、信号処理回路１１は、アクセス速度が中程度であることを表す「中」を設定する。また、応答速度の値が第２応答速度未満である場合、信号処理回路１１は、アクセス速度が遅いことを表す「遅」を設定する。
【０１１０】
本実施形態においては、信号処理回路１１は、例えば、データセンタ２０−１から送信される、データセンタが置かれている環境に関する情報に基づき、利用者ＩＤ：００００１について、ＤＣ  ＩＤ：ＤＣ１、利用者との距離：３００ｋｍ、及びアクセス速度：早のレコードを生成する。
【０１１１】
また、信号処理回路１１は、データセンタ２０−２から送信される、データセンタが置かれている環境に関する情報に基づき、利用者ＩＤ：００００１について、ＤＣ  ＩＤ：ＤＣ２、利用者との距離：１００００ｋｍ、及びアクセス速度：遅のレコードを生成する。
【０１１２】
また、信号処理回路１１は、データセンタ２０−３から送信される、データセンタが置かれている環境に関する情報に基づき、利用者ＩＤ：００００１について、ＤＣ  ＩＤ：ＤＣ３、利用者との距離：１０００ｋｍ、及びアクセス速度：早のレコードを生成する。信号処理回路１１は、生成したレコードを、環境情報１２４のうち、利用者−ＤＣ間情報として記憶回路１２に記憶する。図１０は、本実施形態に係る記憶回路１２に記憶される環境情報１２４のうち、利用者−ＤＣ間情報の例を示す図である。
【０１１３】
また、信号処理回路１１は、データセンタ２０−１〜２０−３から送信されるメタ情報に基づき、メタ情報１２５を生成する。
【０１１４】
本実施形態においては、信号処理回路１１は、例えば、データセンタ２０−２から送信されるメタ情報に基づき、検査ＩＤ：０００００００１、患者ＩＤ：Ｐ００００１、検査日：２０１６年９月１日、緊急度：−、機密性：高、担当：医師一郎、ＤＣ上での解析有無：ＣＴ心機能解析、及び利用ＤＣ：ＤＣ２のレコードを生成する。
【０１１５】
また、信号処理回路１１は、データセンタ２０−３から送信されるメタ情報に基づき、検査ＩＤ：０００００００２、患者ＩＤ：Ｐ００００２、検査日：２０１６年９月２日、緊急度：高、機密性：−、担当：医師一郎、ＤＣ上での解析有無：無、及び利用ＤＣ：ＤＣ３のレコードを生成する。信号処理回路１１は、生成したレコードを、メタ情報１２５として記憶回路１２に記憶する。図１１は、本実施形態に係る記憶回路１２に記憶されるメタ情報１２５の例を示す図である。
【０１１６】
また、パラメータ取得機能１１３を実行すると、信号処理回路１１は、図５Ｂに示されるように、災害情報を要求する災害情報要求信号を生成する。信号処理回路１１は、災害情報要求信号を災害情報システム３０へ送信する（ステップＳ５１４）。災害情報システム３０は、医用情報処理装置１０から災害情報要求信号を受信すると、記憶している災害情報を医用情報処理装置１０へ送信する（ステップＳ５１５）。
【０１１７】
信号処理回路１１は、災害情報システム３０から送信される、災害情報に基づき、災害情報１２６を生成する。信号処理回路１１は、生成した災害情報１２６を、記憶回路１２に記憶する（ステップＳ５１６）。
【０１１８】
本実施形態においては、信号処理回路１１は、例えば、災害情報システム３０から送信される災害情報に基づき、場所：欧州、災害：地震のレコードと、場所：中国、災害：台風のレコードとを生成する。信号処理回路１１は、生成したレコードを、災害情報１２６として記憶回路１２に記憶する。図１２は、本実施形態に係る記憶回路１２に記憶される災害情報１２６の例を示す図である。
【０１１９】
信号処理回路１１は、ＤＣ情報１２３、環境情報１２４、メタ情報１２５、及び災害情報１２６を記憶回路１２に記憶すると、候補算出機能を実行する。候補算出機能を実行すると信号処理回路１１は、ＤＣ情報１２３、環境情報１２４、メタ情報１２５、災害情報１２６、及び重み付情報１２７に基づき、医療情報を移動させるデータセンタの候補を算出する（ステップＳ５１７）。
【０１２０】
具体的には、候補算出機能を実行すると信号処理回路１１は、記憶回路１２から重み付情報１２７を読み出す。図１３は、本実施形態に係る記憶回路１２に記憶される重み付情報１２７の例を示す図である。図１３によれば、アクセス速度、セキュリティ、及びコストが観点として設定されている。緊急度が「高」に設定されている医療情報については、アクセス速度：１０、セキュリティ：５、コスト：１の重み係数が割り当てられている。また、緊急度が「無」、かつ機密性が「高」に設定されている医療情報については、速度：５、セキュリティ：１０、コスト：１の重み係数が割り当てられている。
【０１２１】
なお、図１３に示される観点「アクセス速度」は、環境情報１２４におけるアクセス速度のパラメータに基づいて評価される。また、図１３に示される観点「セキュリティ」は、ＤＣ情報１２３におけるセキュリティのパラメータに基づいて評価される。また、図１３に示される観点「コスト」は、ＤＣ情報１２３における利用料のパラメータ、及び環境情報１２４における回線利用料のパラメータに基づいて評価される。
【０１２２】
なお、観点は、図１３に示されるアクセス速度、セキュリティ、及びコスト以外にも設定可能である。データセンタ上で医療画像を解析する必要がある場合、又は、データセンタ上で医療画像を参照してレポートを作成する必要がある場合等には、所定の解析アプリケーションの有無を、観点に含めるようにしてもよい。
【０１２３】
また、緊急度が高い医療情報については、専用高速回線の有無、及びネットワークの利用状況を、観点に含めるようにしてもよい。
【０１２４】
信号処理回路１１は、重み付情報１２７で規定される観点毎に、データセンタ２０−１〜２０−３を評価する。具体的には、信号処理回路１１は、データセンタ２０−１について、環境情報１２４におけるアクセス速度：早に基づき、観点「アクセス速度」の評価を○とする。また、信号処理回路１１は、データセンタ２０−１について、ＤＣ情報１２３におけるセキュリティ：高に基づき、観点「セキュリティ」の評価を○とする。また、信号処理回路１１は、データセンタ２０−１について、ＤＣ情報１２３における利用料：￥１０／ＧＢ、及び環境情報１２４における回線利用料：高に基づき、観点「コスト」の評価を△とする。
【０１２５】
また、信号処理回路１１は、データセンタ２０−２について、環境情報１２４におけるアクセス速度：遅に基づき、観点「アクセス速度」の評価を×とする。また、信号処理回路１１は、データセンタ２０−２について、ＤＣ情報１２３におけるセキュリティ：中に基づき、観点「セキュリティ」の評価を△とする。また、信号処理回路１１は、データセンタ２０−２について、ＤＣ情報１２３における利用料：￥１５／ＧＢ、及び環境情報１２４における回線利用料：低に基づき、観点「コスト」の評価を○とする。
【０１２６】
また、信号処理回路１１は、データセンタ２０−３について、環境情報１２４におけるアクセス速度：早に基づき、観点「アクセス速度」の評価を○とする。また、信号処理回路１１は、データセンタ２０−３について、ＤＣ情報１２３におけるセキュリティ：低に基づき、観点「セキュリティ」の評価を×とする。また、信号処理回路１１は、データセンタ２０−３について、ＤＣ情報１２３における利用料：￥２０／ＧＢ、及び環境情報１２４における回線利用料：低に基づき、観点「コスト」の評価を×とする。
【０１２７】
信号処理回路１１は、観点毎の評価に、観点毎に設定されている重み係数を反映させ、医療情報毎にデータセンタ２０−１〜２０−３の優先度を決定する。
【０１２８】
具体的には、例えば、○には３点を割り当て、△には２点を割り当て、×には１点を割り当てるとする。信号処理回路１１は、検査ＩＤ：０００００００１の医療情報を対象データに設定する。信号処理回路１１は、図１１に示されるメタ情報１２５の検査ＩＤ：０００００００１に係るレコードから、「緊急度：−、機密性：高」を読み出す。
【０１２９】
信号処理回路１１は、読み出した「緊急度：−、機密性：高」に基づき、図１３に示される重み付情報１２７から、「緊急度：無、機密性：高」に関する重み係数、すなわち、アクセス速度の重み係数：５、セキュリティの重み係数：１０、及びコストの重み係数：１を読み出す。
【０１３０】
データセンタ２０−１について、信号処理回路１１は、アクセス速度：○の評価と、重み係数：５とから、３×５＝１５点を算出する。また、信号処理回路１１は、セキュリティ：○の評価と、重み係数：１０とから、３×１０＝３０点を算出する。また、信号処理回路１１は、コスト：△の評価と、重み係数：１とから、２×１＝２点を算出する。信号処理回路１１は、算出した数値を合計し、データセンタ２０−１に対する評価を４７点とする。
【０１３１】
また、データセンタ２０−２について、信号処理回路１１は、アクセス速度：×の評価と、重み係数：５とから、１×５＝５点を算出する。また、信号処理回路１１は、セキュリティ：△の評価と、重み係数：１０とから、２×１０＝２０点を算出する。また、信号処理回路１１は、コスト：○の評価と、重み係数：１とから、３×１＝３点を算出する。信号処理回路１１は、算出した数値を合計し、データセンタ２０−２に対する評価を２８点とする。
【０１３２】
また、データセンタ２０−３について、信号処理回路１１は、アクセス速度：○の評価と、重み係数：５とから、３×５＝１５点を算出する。また、信号処理回路１１は、セキュリティ：×の評価と、重み係数：１０とから、１×１０＝１０点を算出する。また、信号処理回路１１は、コスト：×の評価と、重み係数：１とから、１×１＝１点を算出する。信号処理回路１１は、算出した数値を合計し、データセンタ２０−３に対する評価を２６点とする。
【０１３３】
信号処理回路１１は、評価値の高い順に、検査ＩＤ：０００００００１の医療情報を移動させるデータセンタの優先度を設定する。すなわち、信号処理回路１１は、４７点のデータセンタ２０−１を優先度１とし、２８点のデータセンタ２０−２を優先度２とし、２６点のデータセンタ２０−３を優先度３とする。
【０１３４】
続いて、信号処理回路１１は、検査ＩＤ：０００００００２の医療情報を対象データに設定する。信号処理回路１１は、図１１に示されるメタ情報１２５の検査ＩＤ：０００００００２に係るレコードから、「緊急度：高、機密性：−」を読み出す。
【０１３５】
信号処理回路１１は、読み出した「緊急度：高、機密性：−」に基づき、図１３に示される重み付情報１２７から、「緊急度：高」に関する重み係数、すなわち、アクセス速度の重み係数：１０、セキュリティの重み係数：５、及びコストの重み係数：１を読み出す。
【０１３６】
データセンタ２０−１について、信号処理回路１１は、アクセス速度：○の評価と、重み係数：１０とから、３×１０＝３０点を算出する。また、信号処理回路１１は、セキュリティ：○の評価と、重み係数：５とから、３×５＝１５点を算出する。また、信号処理回路１１は、コスト：△の評価と、重み係数：１とから、２×１＝２点を算出する。信号処理回路１１は、算出した数値を合計し、データセンタ２０−１に対する評価を４７点とする。
【０１３７】
また、データセンタ２０−２について、信号処理回路１１は、アクセス速度：×の評価と、重み係数：１０とから、１×１０＝１０点を算出する。また、信号処理回路１１は、セキュリティ：△の評価と、重み係数：５とから、２×５＝１０点を算出する。また、信号処理回路１１は、コスト：○の評価と、重み係数：１とから、３×１＝３点を算出する。信号処理回路１１は、算出した数値を合計し、データセンタ２０−２に対する評価を２３点とする。
【０１３８】
また、データセンタ２０−３について、信号処理回路１１は、アクセス速度：○の評価と、重み係数：１０とから、３×１０＝３０点を算出する。また、信号処理回路１１は、セキュリティ：×の評価と、重み係数：５とから、１×５＝５点を算出する。また、信号処理回路１１は、コスト：×の評価と、重み係数：１とから、１×１＝１点を算出する。信号処理回路１１は、算出した数値を合計し、データセンタ２０−３に対する評価を３６点とする。
【０１３９】
信号処理回路１１は、評価値の高い順に、検査ＩＤ：０００００００２の医療情報を移動させるデータセンタの優先度を設定する。すなわち、信号処理回路１１は、４７点のデータセンタ２０−１を優先度１とし、３６点のデータセンタ２０−３を優先度２とし、２３点のデータセンタ２０−２を優先度３とする。
【０１４０】
信号処理回路１１は、災害情報１２６を参照し、移動先候補となるデータセンタの優先度を変更してもよい。具体的には、例えば、所定の災害規模を上回る災害が発生した国、又は地方がある場合、信号処理回路１１は、その国、又は地方に設立されているデータセンタの優先度を下げるようにしてもよい。
【０１４１】
信号処理回路１１は、医療情報を移動させるデータセンタの候補を算出すると、候補出力機能１１５を実行する。候補出力機能１１５を実行すると、信号処理回路１１は、算出した移動先のデータセンタ候補を通信端末４０へ出力する。具体的には、信号処理回路１１は、移動先のデータセンタ候補が優先度順に配列された表示画像を生成する（ステップＳ５１８）。信号処理回路１１は、生成した表示画像を画像信号に変換する。信号処理回路１１は、画像信号を、ＩＰ網を介して通信端末４０へ送信する（ステップＳ５１９）。
【０１４２】
なお、信号処理回路１１は、表示画像を必ずしも生成する必要は無い。信号処理回路１１は、画像信号の代わりに、移動先のデータセンタ候補の優先度に関する情報を通信端末４０へ送信してもよい。このとき、通信端末４０の信号処理回路は、画像生成機能を備え、通信端末４０から送信される情報に基づき、移動先のデータセンタ候補が優先度順に配列された表示画像を生成する。
【０１４３】
通信端末４０は、医用情報処理装置１０から送信される画像信号を受信する。通信端末４０の信号処理回路は、受信した画像信号を復号する。通信端末４０は、復号した表示画像を表示回路に表示する（ステップＳ５２０）。図１４は、本実施形態に係る通信端末４０の表示回路で表示される表示画面の一例を示す模式図である。図１４によれば、検査ＩＤ：０００００００１の医療情報の移動先候補であるデータセンタが、優先度順に配列されて表示されている。優先度が高いデータセンタ程、移動に適したデータセンタであることを表す。また、観点毎の評価がデータセンタ毎に表示されている。
【０１４４】
図１５は、本実施形態に係る通信端末４０の表示回路で表示される表示画面のその他の例を示す模式図である。図１５によれば、検査ＩＤ：０００００００２の医療情報の移動先候補であるデータセンタが、優先度順に配列されて表示されている。また、観点毎の評価がデータセンタ毎に表示されている。
【０１４５】
利用者は、通信端末４０の表示回路に表示されているデータセンタ２０−１〜２０−３のいずれかを、入力インタフェース回路を介して選択する。具体的には、利用者は、検査ＩＤ：０００００００１の医療情報について、移動先候補として表示されているデータセンタ２０−１〜２０−３のいずれかを、入力インタフェース回路を介して選択する。また、利用者は、検査ＩＤ：０００００００２の医療情報について、移動先候補として表示されているデータセンタ２０−１〜２０−３のいずれかを、入力インタフェース回路を介して選択する。
【０１４６】
通信端末４０の信号処理回路は、表示されているデータセンタ２０−１〜２０−３のいずれかが選択されると、選択されたデータセンタを特定可能な選択信号を生成する。通信端末４０は、生成した選択信号を、ＩＰ網を介して医用情報処理装置１０へ送信する（ステップＳ５２１）。
【０１４７】
医用情報処理装置１０は、通信端末４０から送信された選択信号を受信する。医用情報処理装置１０の信号処理回路１１は、選択信号を受信すると、ＤＣ決定機能を実行する。ＤＣ決定機能を実行すると信号処理回路２２１は、選択信号により特定されるデータセンタを医療情報の移動先として決定する（ステップＳ５２２）。
【０１４８】
なお、図５では、信号処理回路１１が、通信端末４０から送信される希望信号をトリガーとして処理を開始する場合を例に説明した。しかしながら、これに限定されない。信号処理回路１１は、記憶回路１２に記憶されている処理プログラムを実行することで、位置情報取得機能を有するようにしてもよい。位置情報取得機能が実行されると信号処理回路１１は、所定のタイミング、例えば、予め設定された周期で、又は予め設定された時刻に、位置情報要求信号を生成する。位置情報要求信号は、利用者情報１２１に記憶されている特定の利用者へ送信される。
【０１４９】
通信端末４０は、位置情報要求信号を受信すると、位置取得回路により、利用者の現在の位置情報を取得する。通信端末４０は、取得した位置情報を、ＩＰ網を介して医用情報処理装置１０へ送信する。医用情報処理装置１０の信号処理回路１１は、ＩＰ網を介して位置情報を受信すると、受信した位置情報と、利用者ＩＤとを関連付け、利用者位置情報１２２として記憶回路１２に記憶する。利用者位置情報１２２を記憶すると、信号処理回路１１は、図５に示されるステップＳ５４以降の処理を実効する。これにより、医用情報処理装置１０は、利用者の移動に合わせ、利用に適したデータセンタを利用者へ提示することが可能となる。
【０１５０】
また、図５Ａでは、利用者が単一である場合を例に説明した。しかしながら、これに限定されない。利用者は複数であっても構わない。信号処理回路１１は、希望信号を送信してきた複数の通信端末について、医療情報の移動先候補を算出する。このとき、信号処理回路１１は、希望信号を受信した順序に従い、医療情報の移動先候補を算出してもよい。また、信号処理回路１１は、希望信号を送信した複数の利用者のうち、優先度の高い利用者から順に、医療情報の移動先候補を算出するようにしてもよい。このとき、利用者情報１２１には、利用者の優先度を表す情報が含まれている。
【０１５１】
また、図５Ａでは、ステップＳ５４にて、利用者ＩＤ：００００１に基づき、氏名：医師一郎を利用者情報１２１から読み出す場合を例に説明した。しかしながら、これに限定されない。信号処理回路１１は、利用者ＩＤ：００００１に基づき、利用者情報１２１から、氏名以外の情報、例えば、職種、専門、又は所属機関等を読み出してもよい。信号処理回路１１は、読み出した情報についてのメタ情報を要求するメタ情報要求信号を生成する。
【０１５２】
また、図５では、医師一郎が担当した検査についての医療情報の移動先データセンタを決定する場合を例に説明した。しかしながら、これに限定されない。信号処理回路１１は、医療情報を利用者へ表示し、移動させる必要のある検査についての医療情報を利用者に選択させるようにしてもよい。例えば、信号処理回路１１は、図５ＡのステップＳ５１３で、記憶回路１２に記憶されるメタ情報１２５を、通信端末４０に表示させる。利用者は、通信端末４０の表示回路に表示される複数の検査についての医療情報から、移動させる必要のある検査についての医療情報を選択する。信号処理回路１１は、移動させる必要のある検査についての医療情報が選択されると、ステップＳ５１７において、選択された医療情報について移動先候補のデータセンタを算出する。これにより、信号処理回路１１は、利用者が移動させる必要があると判断する医療情報のみについて、移動先を算出することが可能となる。
【０１５３】
また、信号処理回路１１は、移動させる必要のある検査についての医療情報を選択させる際に、データセンタ上で医療画像を解析させるか否か、又は、データセンタ上で医療画像を参照してレポートを作成するか否かを、利用者が入力可能としてもよい。このとき、記憶回路１２に記憶される重み付情報１２７には、画像解析、又はレポート作成についてのシーンが登録されている。そして、重み付情報１２７において、このシーンの観点には、例えば、所定の解析アプリケーションの有無が含まれてもよい。信号処理回路１１は、重み付情報１２７から、シーン：「画像解析」、又は「レポート作成」について重み係数を読み出し、読み出した重み係数を用いて移動先候補のデータセンタを算出する。これにより、所望の解析アプリケーションを搭載しているデータセンタの優先度が高く設定されることになる。
【０１５４】
図１６は、データセンタ間で医療情報を移動させる際の医療情報記憶システムにおける処理手順を説明する図を示す。図１６の例では、図５のステップＳ５２０において、データセンタ２０−１が検査ＩＤ：０００００００１の医療情報の移動先として選択された場合を説明する。
【０１５５】
図１６Ａにおいて、データセンタ２０−１が移動先として決定されると（ステップＳ５２２）、医用情報処理装置１０の信号処理回路１１は、移動制御機能１１７を実行する。移動制御機能１１７を実行すると信号処理回路１１は、移動指示信号を生成する。移動指示信号は、検査ＩＤ：０００００００１の医療情報のデータセンタ２０−１への移動を指示する信号である。信号処理回路１１は、生成した移動指示信号を、検査ＩＤ：０００００００１の医療情報を記憶しているデータセンタ２０−２と、移動先として決定したデータセンタ２０−１へ、ＩＰ網を介して送信する（ステップＳ１６１）。
【０１５６】
データセンタ２０−２に設けられるプロキシサーバ２１は、ＩＰ網を介して移動指示信号を受信する。プロキシサーバ２１の信号処理回路２１１は、移動指示信号を受信すると、移動制御機能２１１２を実行する。移動制御機能２１１２を実行すると信号処理回路２１１は、検査ＩＤ：０００００００１の医療情報の読み出しを指示する第２の読出信号を生成する。信号処理回路２１１は、生成した第２の読出信号を、ＬＡＮを介し、データセンタ２０−２に設けられるストレージサーバ２２−１〜２２−３へ送信する（ステップＳ１６２）。
【０１５７】
ストレージサーバ２２−１の信号処理回路２２１は、ＬＡＮを介して第２の読出信号を受信すると、読出制御機能２２１１を実行する。読出制御機能２２１１を実行すると信号処理回路２２１は、記憶回路２２２に記憶されている検査ＩＤ：０００００００１の医療情報を読み出す（ステップＳ１６３）。信号処理回路２２１は、検査ＩＤ：０００００００１の医療情報を読み出すと、読み出した検査ＩＤ：０００００００１の医療情報を、ＬＡＮを介してプロキシサーバ２１へ送信する（ステップＳ１６４）。
【０１５８】
第２の読出信号を受信したストレージサーバ２２−２，２２−３も、ステップＳ１６３、及びステップＳ１６４の処理を実施する。これにより、ストレージサーバ２２−２，２２−３からも、検査ＩＤ：０００００００１の医療情報がプロキシサーバ２１へ送信される。
【０１５９】
データセンタ２０−２に設けられるプロキシサーバ２１は、ストレージサーバ２２−１〜２２−３から送信される検査ＩＤ：０００００００１の医療情報を受信する。プロキシサーバ２１の信号処理回路２１１は、受信した検査ＩＤ：０００００００１の医療情報を、ＩＰ網を介してデータセンタ２０−１へ送信する（ステップＳ１６５）。
【０１６０】
図１６Ｂにおいて、データセンタ２０−１に設けられるプロキシサーバ２１は、ＩＰ網を介し、移動指示信号と、検査ＩＤ：０００００００１の医療情報を受信する。プロキシサーバ２１の信号処理回路２１１は、移動指示信号と、検査ＩＤ：０００００００１の医療情報とを受信すると、書込制御機能２１１６を実行する。書込制御機能２１１６を実行すると信号処理回路２１１は、検査ＩＤ：０００００００１の医療情報の書き込みを指示する書込信号を生成する。信号処理回路２１１は、生成した書込信号を、ＬＡＮを介し、データセンタ２０−１に設けられるストレージサーバ２２−１〜２２−３へ送信する（ステップＳ１６６）。
【０１６１】
ストレージサーバ２２−１の信号処理回路２２１は、ＬＡＮを介して書込信号を受信すると、書込制御機能２２１３を実行する。書込制御機能２２１３を実行すると信号処理回路２２１は、検査ＩＤ：０００００００１の医療情報を記憶回路２２２へ書き込む（ステップＳ１６７）。信号処理回路２２１は、検査ＩＤ：０００００００１の医療情報の書き込みが完了すると、書き込みが完了したことを、ＬＡＮを介してプロキシサーバ２１へ通知する（ステップＳ１６８）。
【０１６２】
書込信号を受信したストレージサーバ２２−２，２２−３も、ステップＳ１６７、及びステップＳ１６８の処理を実施する。これにより、ストレージサーバ２２−２，２２−３の記憶回路２２２へも、検査ＩＤ：０００００００１の医療情報が書き込まれる。
【０１６３】
データセンタ２０−１に設けられるプロキシサーバ２１は、ストレージサーバ２２−１〜２２−３から、書込完了の通知を受けると、検査ＩＤ：０００００００１の医療情報の移動が完了した旨を通信端末４０へ通知する（ステップＳ１６９）。このときの通知方法は、ｅメール等、任意の方法が使用可能である。
【０１６４】
図１６Ａにおいて、通信端末４０は、移動完了が通知されると、その旨を表示回路に表示する（ステップＳ１６１０）。具体的には、利用者は、医療情報の移動先であるデータセンタ２０−１から配信されたｅメールを開く。通信端末４０は、ｅメールが開かれると、移動が完了したことを表示回路に表示する。
【０１６５】
なお、図１６では、医療情報の移動先であるデータセンタ２０−１から通信端末４０へ、移動完了が通知される場合を例に説明した。しかしながら、これに限定されない。移動完了の通知は、医用情報処理装置１０へ通知されてもよい。医用情報処理装置１０は、移動完了の通知をデータセンタ２０−１から受けると、移動が完了した旨を通信端末４０へ送信する。
【０１６６】
また、図５，１６では、医師一郎が担当した検査についての医療情報の移動先データセンタが決定され、決定されたデータセンタへ、医療情報が移動される場合を例に説明した。しかしながら、これに限定されない。信号処理回路１１は、ステップＳ５１７における、医療情報について移動先候補のデータセンタを算出する際に、利用者からの指定を受け付けるようにしても構わない。例えば、信号処理回路１１は、ステップＳ５１７において、データセンタ上で医療画像を解析させるか否か、データセンタ上で医療画像を参照してレポートを作成するか否か、レポート作成にかかる時間、利用したい解析アプリケーション、及びレポート作成を開始する日時（スケジュール）を受け付けるようにしてもよい。信号処理回路１１は、入力された日時に、医療情報のデータセンタへの移動が完了するように、他の医療情報に対して優先して、移動先のデータセンタを決定する。そして、信号処理回路１１は、入力された日時に、医療情報のデータセンタへの移動が完了するように、決定したデータセンタへ医療情報を移動させる。これにより、信号処理回路１１は、入力された日時でレポートの作成が可能なように、医療情報を所定のデータセンタへ移動させることになる。
【０１６７】
以上のように、本実施形態に係る医用情報処理装置１０は、利用者の現在の位置情報を取得する。また、医用情報処理装置１０は、データセンタ２０−１〜２０−３に記憶されている医療情報のメタ情報を検査毎に取得する。また、医用情報処理装置１０は、データセンタ２０−１〜２０−３のネットワーク環境に関する情報を取得する。医用情報処理装置１０は、取得したメタ情報、及びデータセンタ２０−１〜２０−３のネットワーク環境に関する情報に基づき、位置情報により表される位置に存在する利用者にとって、利用に適したデータセンタの候補を、検査毎に算出する。医用情報処理装置１０は、算出した複数のデータセンタの候補を、利用者へ提示する。そして、医用情報処理装置１０は、複数のデータセンタの候補のうち、利用者により指定されたデータセンタへ、検査毎の医療情報を移動させるようにしている。これにより、医用情報処理装置１０は、閲覧することが予測される医療情報を、利用者の現在の場所に基づいて適したデータセンタへ、予め移動させておくことが可能となる。
【０１６８】
したがって、本実施形態に係る医用情報処理装置１０によれば、利用者の場所に関わらず、利用者が所望する医療情報を遅延なく提供することができる。
【０１６９】
また、本実施形態に係る医用情報処理装置１０は、データセンタ２０−１〜２０−３の性能に関する情報を取得する。そして、医用情報処理装置１０は、取得したメタ情報、データセンタ２０−１〜２０−３の性能に関する情報、及びデータセンタ２０−１〜２０−３のネットワーク環境に関する情報に基づき、位置情報により表される位置に存在する利用者にとって、利用に適したデータセンタの候補を、検査毎に算出するようにしている。これにより、医用情報処理装置１０は、アクセスの容易さに加え、セキュリティのレベルも考慮して移動先のデータセンタを、利用者に選択させることが可能となる。
【０１７０】
したがって、本実施形態に係る医用情報処理装置１０によれば、医療情報の移動に伴う情報漏えいのリスクを減じることが可能となる。
【０１７１】
また、本実施形態に係る医用情報処理装置１０が取得する、データセンタ２０−１〜２０−３の性能に関する情報、及びデータセンタ２０−１〜２０−３のネットワーク環境に関する情報には、コストに関する情報が含まれる。そして、医用情報処理装置１０は、コストに関する情報にも基づき、位置情報により表される位置に存在する利用者にとって、利用に適したデータセンタの候補を、検査毎に算出するようにしている。これにより、医用情報処理装置１０は、アクセスの容易さ、セキュリティのレベルに加え、コストも考慮して移動先のデータセンタを、利用者に選択させることが可能となる。
【０１７２】
したがって、本実施形態に係る医用情報処理装置１０によれば、医療情報の移動に伴う経営面でのリスクを減じることが可能となる。
【０１７３】
また、本実施形態に係る医用情報処理装置１０は、災害情報を災害情報システム３０から取得する。そして、医用情報処理装置１０は、取得したメタ情報、データセンタ２０−１〜２０−３の性能に関する情報、データセンタ２０−１〜２０−３のネットワーク環境に関する情報、及び災害情報に基づき、位置情報により表される位置に存在する利用者にとって、利用に適したデータセンタの候補を、検査毎に算出するようにしている。これにより、医用情報処理装置１０は、データセンタが設けられる国、又は地方の災害情報も考慮して移動先のデータセンタを、利用者に選択させることが可能となる。
【０１７４】
また、本実施形態に係る医用情報処理装置１０が移動させる医療情報には、電子カルテ情報が含まれている。これにより、医用情報処理装置１０は、医療画像情報と合わせて電子カルテ情報もデータセンタへ移動させることが可能となる。利用者は、電子カルテ情報を確認しながら、医療画像情報を解析することが可能となる。
【０１７５】
なお、本実施形態では、データセンタ２０−１〜２０−３それぞれがクラウドコンピューティングサービスを提供するセキュアなデータセンタである場合を例に説明した。しかしながら、これに限定されない。例えば、ＩＰ網上に、セキュアでないデータセンタが存在することもあり得る。このような場合、医用情報処理装置１０は、移動制御機能１１７のより、例えば、個人情報を持たない画像データのみを、セキュアでないデータセンタへ移動させてもよい。一方、医用情報処理装置１０は、個人情報を含むメタ情報をセキュアなデータセンタに残す。そして、利用者が、画像データを閲覧する際には、セキュアでないデータセンタから画像データを読み出し、読み出した画像データを、メタ情報を紐付けて表示する。
【０１７６】
具体的には、例えば、緊急性が求められる検査に関する医療情報を移動させる際、高い優先度が設定されたデータセンタがセキュアでない場合があり得る。利用者は、緊急性を優先させ、アクセス速度が高く、かつ、セキュリティが担保されていないデータセンタを選択する。セキュアでないデータセンタが選択された場合、医用情報処理装置１０は、ＤＩＣＯＭ規格に準拠した医療画像ファイルにおける画像データのみを、選択されたデータセンタへ移動させるようにデータセンタへ移動指示信号を送信する。移動指示信号には、医用画像データに、子の医用画像データについてのメタ情報を紐付ける指示も含まれる。
【０１７７】
データセンタに設けられるプロキシサーバは、ストレージサーバから画像データを読み出し、読み出した画像データに、この医療画像ファイルにおけるメタ情報を紐付ける。画像データにメタ情報を紐付ける方法は、当技術分野で知られている任意の方法を利用することが可能である。プロキシサーバは、メタ情報を紐付けた画像データを、選択されたデータセンタへ送信する。これにより、セキュアでないデータセンタを利用する際であっても、情報の漏洩を抑えることが可能となる。
【０１７８】
また、本実施形態において、データセンタ２０−１〜２０−３は、それぞれがクラウドコンピューティングサービスを提供するシステムである場合を例に説明した。しかしながら、これに限定されない。データセンタ２０−１〜２０−３は、所定の病院に設けられるアーカイブシステムであっても構わない。
【０１７９】
上記説明において用いた「プロセッサ」という文言は、例えば、ＣＰＵ（central processing unit）、ＧＰＵ(Graphics Processing Unit)、或いは、特定用途向け集積回路（Application Specific Integrated Circuit：ＡＳＩＣ））、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及びフィールドプログラマブルゲートアレイ（Field Programmable Gate Array：ＦＰＧＡ））等の回路を意味する。プロセッサは記憶回路に保存されたプログラムを読み出し実行することで機能を実現する。
【０１８０】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【０１８１】
１０…医用情報処理装置、１１…信号処理回路、１１１…利用者決定機能、１１２…メタ情報取得機能、１１３…パラメータ取得機能、１１４…候補算出機能、１１５…候補出力機能、１１６…ＤＣ決定機能、１１７…移動制御機能、１２…記憶回路、１２１…利用者情報、１２２…利用者位置情報、１２３…ＤＣ情報、１２４…環境情報、１２５…メタ情報、１２６…災害情報、１２７…重み付情報、１３…通信インタフェース回路、２０，２０−１，２０−２，２０−３…データセンタ、２１…プロキシサーバ、２１１…信号処理回路、２１１１…読出制御機能、２１１２…移動制御機能、２１１３…通信制御機能、２１１４…計測機能、２１１５…算出機能、２１１６…書込制御機能、２１２…記憶回路、２１３…通信インタフェース回路、２２，２２−１，２２−２，２２−３…ストレージサーバ、２２１…信号処理回路、２２１１…読出制御機能、２２１２…通信制御機能、２２１３…書込制御機能、２２１４…画像処理機能、２２１５…算出機能２２２…記憶回路、２２３…通信インタフェース回路、３０…災害情報システム、４０…通信端末。
【図１】
2018120400.tif 000003
【図２】
2018120400.tif 000004
【図３】
2018120400.tif 000005
【図４】
2018120400.tif 000006
【図５Ａ】
2018120400.tif 000007
【図５Ｂ】
2018120400.tif 000008
【図６】
2018120400.tif 000009
【図７】
2018120400.tif 000010
【図８】
2018120400.tif 000011
【図９】
2018120400.tif 000012
【図１０】
2018120400.tif 000013
【図１１】
2018120400.tif 000014
【図１２】
2018120400.tif 000015
【図１３】
2018120400.tif 000016
【図１４】
2018120400.tif 000017
【図１５】
2018120400.tif 000018
【図１６Ａ】
2018120400.tif 000019
【図１６Ｂ】
2018120400.tif 000020